(57)【要約】【課題】大がかりな作業を必要とすることなく、押し釦の背面側に位置する部分のメンテナンスを行うことができる水栓装置を提供する。【解決手段】本発明は、押し釦操作により、吐水・止水を切り替える水栓装置（１）であって、押し釦（２）及び押し釦支持部材（４）を備えた押し釦ユニットと、押し釦の背面側に配置され、押し釦により開閉される開閉バルブユニット（１２）と、この開閉バルブユニットを収容する水栓装置本体（６）と、押し釦を外部に露出させる押し釦開口、及びアクセス開口を備えた水栓カウンター（８）と、アクセス開口を介して操作することにより、押し釦が使用状態に位置する使用位置から、押し釦が水栓カウンターの背面側に引っ込んだ後退位置へ、押し釦ユニットを後退させることができるように、押し釦ユニットを水栓装置本体に対して、使用位置に支持するユニット支持機構（１０）と、を有することを特徴としている。【選択図】図２
2009079421.tif 000002
【特許請求の範囲】
【請求項１】
押し釦の押圧操作により、吐水状態と止水状態を切り替える水栓装置であって、
使用者によって押圧される押し釦、及びこれを押圧操作可能に支持する押し釦支持部材を備えた押し釦ユニットと、
上記押し釦の背面側に配置され、上記押し釦を押圧することにより開閉される開閉バルブユニットと、
この開閉バルブユニットを収容する水栓装置本体と、
この水栓装置本体及び上記押し釦ユニットを覆うように配置され、上記押し釦を外部に露出させる押し釦開口、及びアクセス開口を備えた水栓カウンターと、
上記アクセス開口を介して操作することにより、上記押し釦が使用状態に位置する使用位置から、上記押し釦が上記水栓カウンターの背面側に引っ込んだ後退位置へ、上記押し釦ユニットを後退させることができるように、上記押し釦ユニットを上記水栓装置本体に対して、上記使用位置に支持するユニット支持機構と、
を有することを特徴とする水栓装置。
【請求項２】
上記ユニット支持機構は、上記押し釦支持部材と上記水栓装置本体の間に挿入されたスペーサー板である請求項１記載の水栓装置。
【請求項３】
上記押し釦ユニットには、２つの押し釦が水平方向に並べて取り付けられており、上記スペーサー板は、上記押し釦支持部材と上記水栓装置本体の間に挿入される挿入部と、この挿入部に対して折り曲げられ、上記水栓装置本体に固定される固定部とを有する請求項２記載の水栓装置。
【請求項４】
上記ユニット支持機構は、上記開閉バルブユニットを取り囲むように上記水栓装置本体に形成された雄ネジ部と、この雄ネジ部に螺合され、上記押し釦支持部材に当接する支持ナットと、を有する請求項１記載の水栓装置。
【発明の詳細な説明】
【技術分野】
【０００１】
本発明は、水栓装置に関し、特に、押し釦の押圧操作により、吐水状態と止水状態を切り替える水栓装置に関する。
【背景技術】
【０００２】
現在、図９に示すような、押し釦の操作により吐水及び止水を切り替えることができる水栓装置が広く使用されている。このタイプの水栓装置２００では、押し釦２０２と、これを支持する押し釦支持部材（図示せず）を備えた押し釦ユニットが、水栓カウンター２０４の背面に配置されている。水栓カウンター２０４には、押し釦開口２０６が設けられており、この押し釦開口２０６を介して押し釦ユニットの押し釦２０２のみが外部に露出されている。さらに、押し釦ユニットの背面側には、水栓装置２００の開閉操作を行う開閉バルブユニット（図示せず）が配置されており、押し釦２０２を押圧することにより開閉バルブユニットが操作され、吐水状態と止水状態が切り替えられる。
【発明の開示】
【発明が解決しようとする課題】
【０００３】
しかしながら、上述したタイプの水栓装置２００においては、例えば、開閉バルブユニットを交換する等のメンテナンスが必要な場合、まず、水栓カウンター２０４を取り外すことにより押し釦ユニットを露出させ、次いで、押し釦ユニットを取り外して開閉バルブユニットを外部に露出させる必要がある。このため、水栓装置２００の軽微なメンテナンスを行う場合でも、水栓カウンター２０４を取り外すという大がかりな作業をしなければならないという問題がある。
【０００４】
従って、本発明は、大がかりな作業を必要とすることなく、押し釦の背面側に位置する部分のメンテナンスを行うことができる水栓装置を提供することを目的としている。
【課題を解決するための手段】
【０００５】
上述した課題を解決するために、本発明は、押し釦の押圧操作により、吐水状態と止水状態を切り替える水栓装置であって、使用者によって押圧される押し釦、及びこれを押圧操作可能に支持する押し釦支持部材を備えた押し釦ユニットと、押し釦の背面側に配置され、押し釦を押圧することにより開閉される開閉バルブユニットと、この開閉バルブユニットを収容する水栓装置本体と、この水栓装置本体及び押し釦ユニットを覆うように配置され、押し釦を外部に露出させる押し釦開口、及びアクセス開口を備えた水栓カウンターと、アクセス開口を介して操作することにより、押し釦が使用状態に位置する使用位置から、押し釦が水栓カウンターの背面側に引っ込んだ後退位置へ、押し釦ユニットを後退させることができるように、押し釦ユニットを水栓装置本体に対して、使用位置に支持するユニット支持機構と、を有することを特徴としている。
【０００６】
このように構成された本発明においては、水栓装置が使用状態にある場合には、押し釦及び押し釦支持部材を備えた押し釦ユニットは、ユニット支持機構により、水栓装置本体に対して、使用位置に支持される。押し釦が押圧されると、押し釦の背面側に配置された開閉バルブユニットが開閉される。また、水栓装置のメンテナンス等を行う場合には、ユニット支持機構をアクセス開口を介して操作することにより、押し釦ユニットは、押し釦が水栓カウンターの背面側に引っ込んだ後退位置へ後退される。これにより、押し釦ユニットがアクセス開口を介して取り外し可能となる。
【０００７】
このように構成された本発明によれば、アクセス開口からの操作により、押し釦ユニットを後退させることができるので、大がかりな作業を必要とすることなく、押し釦の背面側に位置する部分のメンテナンスを行うことができる。
【０００８】
本発明において、好ましくは、ユニット支持機構は、押し釦支持部材と水栓装置本体の間に挿入されたスペーサー板である。
このように構成された本発明においては、水栓装置が使用状態にある場合には、押し釦支持部材と水栓装置本体の間にスペーサー板が挿入され、押し釦ユニットの押し釦支持部材が水栓装置本体に対して支持される。また、押し釦ユニットを後退位置へ移動させる際には、挿入されていたスペーサー板が引き抜かれる。
このように構成された本発明によれば、簡単な機構で、押し釦ユニットを確実に支持することができる。
【０００９】
本発明において、好ましくは、押し釦ユニットには、２つの押し釦が水平方向に並べて取り付けられており、スペーサー板は、押し釦支持部材と水栓装置本体の間に挿入される挿入部と、この挿入部に対して折り曲げられ、水栓装置本体に固定される固定部とを有する。
【００１０】
このように構成された本発明によれば、２つの押し釦が取り付けられた押し釦ユニットを、１つのスペーサー板で支持することができると共に、簡単な機構でスペーサー板を固定することができる。
【００１１】
本発明において、好ましくは、ユニット支持機構は、開閉バルブユニットを取り囲むように水栓装置本体に形成された雄ネジ部と、この雄ネジ部に螺合され、押し釦支持部材に当接する支持ナットと、を有する。
このように構成された本発明によれば、ナット等の汎用品を使用して、ユニット支持機構を構成することができる。
【発明の効果】
【００１２】
本発明の水栓装置によれば、大がかりな作業を必要とすることなく、押し釦の背面側に位置する部分のメンテナンスを行うことができる。
【発明を実施するための最良の形態】
【００１３】
次に、添付図面を参照して、本発明の好ましい実施形態を説明する。
まず、図１乃至図７を参照して、本発明の第１実施形態による水栓装置を説明する。図１は、本発明の第１実施形態による水栓装置を斜め下方から見た斜視図である。図２は本実施形態による水栓装置の底面図である。図３は、図２のIII−III線に沿う断面図であり、図４は、図２のIV−IV線に沿う断面図である。
【００１４】
図１に示すように、本発明の第１実施形態による水栓装置１は、２つの押し釦２と、これらの押し釦２を押圧操作可能に支持する押し釦支持部材４と、開閉バルブユニット１２（図４）を収容する水栓装置本体６と、水栓カウンター８と、を有する。２つの押し釦２及び押し釦支持部材４は押し釦ユニットを構成し、この押し釦ユニットと、水栓装置本体６は、水栓カウンター８によって覆われている。水栓カウンター８の、各押し釦２と整合する位置には押し釦開口８ａが夫々形成されており、各押し釦２の表面が外部に露出されている。さらに、水栓装置１は、押し釦支持部材４と水栓装置本体６との間に挿入されたユニット支持機構であるスペーサー板１０を有する。
【００１５】
本実施形態の水栓装置１は、各押し釦２を押圧することにより、各押し釦２の背面に配置された開閉バルブユニット１２を開閉させ、湯水流入口６ｃから流入した湯水を、カラン吐水用流出口６ｂ又はシャワー吐水用流出口６ａから流出させるように構成されている。
【００１６】
押し釦２は、図１乃至図４に示すように、概ね四角形断面の箱形の部材であり、水平方向に２つ並べて配置されている。また、各押し釦２は、その表面が水栓カウンター８の正面とほぼ面一になるように位置決めされており、各押し釦２は、その表面のみが水栓カウンター８の外部に露出されている。さらに、各押し釦２の上部には、支軸４ａ（図４）が取り付けられており、各押し釦２は、押し釦支持部材４に対し、支軸４ａを中心に回動可能に取り付けられている。また、各押し釦２の背面側には、押圧突起２ａが形成されている。この押圧突起２ａの先端が、各押し釦２の背面に配置された開閉バルブユニット１２の操作部１２ａを押圧して、開閉バルブユニット１２を開閉させるようになっている。
【００１７】
押し釦支持部材４は、各押し釦２を夫々収容する２つの枠部４ｂと、この枠部４ｂから後方に突出した２つの取付アーム４ｃと、から形成されている。さらに、各枠部４ｂの上部には、水平方向に延びる支軸４ａが取り付けられており、各押し釦２を、各枠部４ｂ内で回動可能に支持している。各取付アーム４ｃは、ユニット止めビス１４により、水栓装置本体６の取付フレーム６ｄに固定されている。これにより、押し釦２及び押し釦支持部材４からなる押し釦ユニットが、水栓装置本体６に固定される。
【００１８】
水栓装置本体６は、湯水流入口６ｃ、カラン吐水用流出口６ｂ、シャワー吐水用流出口６ａが形成された鋳造部品であり、前方に向けて開口した２つのバルブユニット収容凹部６ｅが形成されている。各開閉バルブユニット１２は、このバルブユニット収容凹部６ｅに夫々収容され、バルブ押さえ１６により固定される。さらに、水栓装置本体６の前面には、クランク状に折り曲げられた取付フレーム６ｄが固定されている。この取付フレーム６ｄの上端部は前方に向かってほぼ直角に折り曲げられ、下端部は後方に向かってほぼ直角に折り曲げられている。取付フレーム６ｄの前方に折り曲げられた部分には押し釦支持部材４の枠部４ｂと当接している。また、取付フレーム６ｄの後方に折り曲げられた部分には、押し釦支持部材４及びスペーサー板１０が夫々ビス止めされている。
【００１９】
また、水栓装置本体６の内部には、通水路が形成されており、湯水流入口６ｃから流入した湯水が、各バルブユニット収容凹部６ｅに導かれるようになっている。各バルブユニット収容凹部６ｅに流入した湯水は、開閉バルブユニット１２の流入口（図示せず）に流入し、開閉バルブユニット１２が開状態の場合には流出口（図示せず）から流出する。さらに、水栓装置本体６には、一方の開閉バルブユニット１２から流出した湯水がカラン吐水用流出口６ｂに導かれ、他方の開閉バルブユニット１２から流出した湯水がシャワー吐水用流出口６ａに導かれるように、通水路が形成されている。
【００２０】
水栓カウンター８は、概ねＬ字形に折り曲げられた上部材８ｂと、水栓装置１の底部をカバーする下部材８ｃと、を有する。上部材８ｂは、水栓装置本体６の上面及び正面を覆うように配置されている。また、上部材８ｂの正面部分には、２つの押し釦開口８ａが形成されており、これにより、各押し釦２の表面を露出させている。一方、下部材８ｃは、容易に取り外すことができるように、水栓装置１の底部に取り付けられている。本実施形態においては、水栓カウンター８の下部材８ｃを取り外すことによりアクセス開口が形成され、このアクセス開口を介して水栓装置１のメンテナンスを行うことができる。なお、図１は、水栓カウンター８の下部材８ｃを取り外した状態を図示したものである。
【００２１】
スペーサー板１０は、概ねＬ字形の板部材であり、水栓装置本体６と押し釦支持部材４との間に挿入される挿入部１０ａと、水栓装置本体６にビス止めされる固定部１０ｂと、を有する。図２に示すように、スペーサー板１０の固定部１０ｂは、挿入部１０ａに対してほぼ直角に延び、２本のスペーサー止めビス１８により取付フレーム６ｄに固定されている。なお、スペーサー止めビス１８は、その頭が下方に向けて取り付けられているため、水栓カウンター８の下部材８ｃを取り外した後のアクセス開口から工具を挿入することにより、容易に取り外すことができる。
【００２２】
一方、挿入部１０ａは、概ね長方形の板状であるが、各開閉バルブユニット１２が配置されている部分は、これらと干渉しないように切り欠かれている。ここで、押し釦２及び押し釦支持部材４からなる押し釦ユニットは、その下部がユニット止めビス１４により水栓装置本体６に固定されているのみである。しかしながら、押し釦ユニットの背面は、スペーサー板１０の挿入部１０ａによって支持されるため、押し釦ユニットは使用位置に強固に保持される。
【００２３】
開閉バルブユニット１２は、ダイヤフラム式の弁体（図示せず）が内蔵されたプッシュ式の開閉弁であり、操作部１２ａを押圧操作する毎に、開状態と閉状態に切り替えられる。また、開閉バルブユニット１２は、操作部１２ａが前方に向くように、水平方向に２つ並べて配置されており、前方に配置された押し釦２が押圧されることにより開閉される。
【００２４】
次に、図５を新たに参照して、本発明の第１実施形態による水栓装置１の作用を説明する。図５は、本実施形態による水栓装置１の吐水状態における断面図である。
【００２５】
まず、図３及び図４に示す止水状態において、使用者が押し釦２を押圧すると、押し釦２は支軸４ａを中心に背面側にわずかに回動される。これにより、押し釦２の背面の押圧突起２ａが、開閉バルブユニット１２の操作部１２ａを、わずかに背面側に押し込む。これにより、開閉バルブユニット１２に内蔵されたラッチ機構（図示せず）のラッチが外れる。次いで、使用者が押し釦２から手指を離すと、操作部１２ａは前方に突出し、図５に示す吐水状態となる。開閉バルブユニット１２が開放され、吐水状態となると、湯水流入口６ｃから流入した湯水が、押圧操作された開閉バルブユニット１２に対応した流出口（カラン吐水用流出口６ｂ又はシャワー吐水用流出口６ａ）から吐出される。
【００２６】
図５に示す吐水状態においては、押し釦２が、前方に突出した操作部１２ａに押され、押し釦２の下部表面が水栓カウンター８よりも前方に突出する。吐水状態において、使用者が再び押し釦２を押圧すると、押し釦２は支軸４ａを中心に背面側に回動され、開閉バルブユニット１２の操作部１２ａが背面側に押し込まれる。操作部１２ａが押し込まれると、操作部１２ａは、開閉バルブユニット１２のラッチ機構（図示せず）により押し込まれた位置に保持され、図３及び図４に示す止水状態となる。
【００２７】
次に、図６及び図７を新たに参照して、本発明の第１実施形態による水栓装置１のメンテナンス手順を説明する。図６はスペーサー板１０を取り外し、押し釦ユニットを背面側に引っ込めた後退位置を示す底面図であり、図７は後退位置における側面断面図である。
【００２８】
まず、本実施形態の水栓装置１のメンテナンスを行う場合には、図３及び図４に示す通常の使用状態の水栓装置１の下部材８ｃを取り外す。これにより、水栓装置１の底面にアクセス開口が形成される。次に、アクセス開口から工具を挿入して、スペーサー板１０を固定している２本のスペーサー止めビス１８を取り外す。さらに、アクセス開口を介してスペーサー板１０を下方に引っ張り、スペーサー板１０の挿入部１０ａを水栓装置本体６と押し釦支持部材４の間から引き抜く。これにより、水栓装置本体６と押し釦支持部材４の間には、挿入部１０ａの厚さ分の隙間ができる。
【００２９】
次いで、アクセス開口から工具を挿入して、押し釦支持部材４を固定している２本のユニット止めビス１４を取り外す。これにより、押し釦２及び押し釦支持部材４からなる押し釦ユニットを、図２乃至図４に示す使用位置から、図６及び図７に示す後退位置に後退させることができるようになる。後退位置においては、押し釦ユニットが、スペーサー板１０の挿入部１０ａの厚さ分背面側に引っ込む。このため、図２乃至図４に示す使用位置において押し釦開口８ａの内部まで延びていた各押し釦２の前端部が、図６及び図７に示すように、水栓カウンター８よりも後方に後退する。これにより、水栓カウンター８の上部材８ｂを取り外すことなく、押し釦ユニットをアクセス開口を介して取り外すことが可能になる。
【００３０】
押し釦ユニットが取り外されることにより、押し釦開口８ａを介して開閉バルブユニット１２を固定しているバルブ押さえ１６にアクセスすることが可能になる。このため、押し釦開口８ａから工具を挿入してバルブ押さえ１６を取り外し、開閉バルブユニット１２を交換することができる。
【００３１】
本発明の第１実施形態の水栓装置によれば、アクセス開口からの操作により、押し釦ユニットを後退させることができるので、大がかりな作業を必要とすることなく、押し釦の背面側に位置する部分のメンテナンスを行うことができる。
【００３２】
また、本実施形態の水栓装置によれば、スペーサー板を挿入することにより、押し釦ユニットを使用位置に支持しているので、簡単な機構で、押し釦ユニットを確実に支持することができる。
【００３３】
さらに、本実施形態の水栓装置によれば、２つの押し釦が取り付けられた押し釦ユニットを、１つのスペーサー板で支持することができる。また、ほぼ直角に曲げられたスペーサー板の固定部を、下方からビス止めしているので、簡単な機構でスペーサー板を固定することができる。
【００３４】
また、上述した第１実施形態の水栓装置においては、水栓装置本体が、水栓カウンターを構成する上部材及び下部材により包囲されており、下部材を取り外すことによりアクセス開口が形成されたが、下部材は設けなくても良い。即ち、水栓装置の底面等、機能的、外観的に支障のない部分に予め開口部を設けておき、これをアクセス開口とすることもできる。なお、本明細書において、「アクセス開口を備えた水栓カウンター」には、上述した第１実施形態のような、容易に取り外すことができる部材によって覆われたアクセス開口を有する水栓カウンター、及び予め開放されたアクセス開口を有する水栓カウンターの両方が含まれるものとする。
【００３５】
次に、図８を参照して、本発明の第２実施形態による水栓装置を説明する。
本実施形態の水栓装置は、押し釦ユニットを使用位置に支持するユニット支持機構が上述した第１実施形態とは異なる。従って、ここでは、本発明の第２実施形態の、第１実施形態とは異なる点のみを説明し、同様の構成については同一の符号を附して説明を省略する。図８は、本発明の第２実施形態による水栓装置の側面断面図である。
【００３６】
図８に示すように、本発明の第２実施形態による水栓装置１００は、２つの押し釦２と、押し釦支持部材４と、開閉バルブユニット１２を収容する水栓装置本体１０６と、水栓カウンター８と、を有する。さらに、水栓装置１００は、押し釦支持部材４を使用位置に支持する支持ナット１１０を有する。
【００３７】
水栓装置本体１０６は、湯水流入口、カラン吐水用流出口、シャワー吐水用流出口（以上図示せず）が形成された鋳造部品であり、前方に向けて開口した２つのバルブユニット収容凹部１０６ｅが形成されている。各開閉バルブユニット１２は、バルブ押さえ１６によりバルブユニット収容凹部１０６ｅ内に固定される。
【００３８】
さらに、水栓装置本体１０６の前面には、クランク状に折り曲げられた取付フレーム１０６ｄが固定されている。この取付フレーム１０６ｄは、その中間部が水栓装置本体１０６に固定され、上端部は前方に向かってほぼ直角に折り曲げられ、下端部は後方に向かってほぼ直角に折り曲げられている。取付フレーム１０６ｄの前方に折り曲げられた部分には押し釦支持部材４の枠部４ｂと当接している。また、取付フレーム１０６ｄの後方に折り曲げられた部分には、押し釦支持部材４がユニット止めビス１４により固定されている。
【００３９】
また、水栓装置本体１０６には、取付フレーム１０６ｄの中間部から突出するように、雄ネジ部１０６ｆが形成されている。この雄ネジ部１０６ｆは、各開閉バルブユニット１２を夫々取り囲むように、水栓装置本体１０６に２つ形成されている。さらに、各雄ネジ部１０６ｆには、支持ナット１１０が夫々螺合されている。
【００４０】
押し釦ユニットの使用位置においては、支持ナット１１０は図８に実線で示す位置に配置されており、支持ナット１１０の前面側に押し釦支持部材４の背面が当接している。これにより、押し釦ユニットが使用位置に支持される。従って、支持ナット１１０及び雄ネジ部１０６ｆは、ユニット支持機構として機能する。
【００４１】
次に、本発明の第２実施形態による水栓装置１００のメンテナンス手順を説明する。
水栓装置１００のメンテナンスを行う場合には、まず、水栓カウンター８の下部材８ｃを取り外す。次に、下部材８ｃを取り外すことにより形成されたアクセス開口から手指を挿入して、支持ナット１１０を回転させる。これにより、支持ナット１１０は、図８に想像線で示す位置に後退される。これにより、当接されていた押し釦支持部材４の背面と支持ナット１１０の前面の間に隙間ができる。次いで、アクセス開口から工具を挿入して、押し釦支持部材４を取付フレーム６ｄに固定しているユニット止めビス１４を取り外す。さらに、押し釦ユニットを、押し釦２が水栓カウンター８の背面側に引っ込む後退位置に移動させる。これにより、アクセス開口を介して押し釦ユニットを取り外すことが可能になる。
【００４２】
本発明の第２実施形態の水栓装置によれば、押し釦ユニットが、雄ネジ部と、これに螺合された支持ナットにより支持されているので、ナット等の汎用品を使用して、ユニット支持機構を構成することができる。
【００４３】
以上、本発明の好ましい実施形態を説明したが、上述した実施形態に種々の変更を加えることができる。特に、上述した実施形態においては、アクセス開口が水栓カウンターの底面に形成され、アクセス開口が部材によって覆われていたが、アクセス開口は、必ずしも部材で覆われている必要はない。また、アクセス開口を設ける位置は、底面以外であっても良い。
【図面の簡単な説明】
【００４４】
【図１】本発明の第１実施形態による水栓装置を斜め下方から見た斜視図である。
【図２】本発明の第１実施形態による水栓装置の底面図である。
【図３】図２のIII−III線に沿う断面図である。
【図４】図２のIV−IV線に沿う断面図である。
【図５】本発明の第１実施形態による水栓装置の吐水状態における断面図である。
【図６】スペーサー板を取り外し、押し釦ユニットを背面側に引っ込めた後退位置を示す底面図である。
【図７】スペーサー板を取り外し、押し釦ユニットを背面側に引っ込めた後退位置における側面断面図である。
【図８】本発明の第２実施形態による水栓装置の側面断面図である。
【図９】従来の水栓装置の斜視図である。
【符号の説明】
【００４５】
１        本発明の第１実施形態による水栓装置
２        押し釦
２ａ      押圧突起
４        押し釦支持部材
４ａ      支軸
４ｂ      枠部
４ｃ      取付アーム
６        水栓装置本体
６ａ      シャワー吐水用流出口
６ｂ      カラン吐水用流出口
６ｃ      湯水流入口
６ｄ      取付フレーム
６ｅ      バルブユニット収容凹部
８        水栓カウンター
８ａ      押し釦開口
８ｂ      上部材
８ｃ      下部材
１０      スペーサー板（ユニット支持機構）
１０ａ    挿入部
１０ｂ    固定部
１２      開閉バルブユニット
１２ａ    操作部
１４      ユニット止めビス
１６      バルブ押さえ
１８      スペーサー止めビス
１００    本発明の第２実施形態による水栓装置
１０６    水栓装置本体
１０６ｄ  取付フレーム
１０６ｅ  バルブユニット収容凹部
１０６ｆ  雄ネジ部
１１０    支持ナット
２００    従来の水栓装置
２０２    押し釦
２０４    水栓カウンター
２０６    押し釦開口
【図１】
2009079421.tif 000003
【図２】
2009079421.tif 000004
【図３】
2009079421.tif 000005
【図４】
2009079421.tif 000006
【図５】
2009079421.tif 000007
【図６】
2009079421.tif 000008
【図７】
2009079421.tif 000009
【図８】
2009079421.tif 000010
【図９】
2009079421.tif 000011